(57)【特許請求の範囲】
【請求項１】
表示パネルと、
前記表示パネルに接続されるフレキシブル基板と、
前記表示パネルを保持するパネル保持体と、
前記パネル保持体を載置するフレームと、を備え、
前記フレキシブル基板は、前記フレームの端部で前記パネル保持体及び前記フレームの少なくとも１辺を覆うように折れ曲がった曲折部分を有し、
前記フレームは、前記端部が前記パネル保持体側へ折り返されて成形されるときにヘミング加工により多段に曲げられている電気光学装置。
【請求項２】
表示パネルと、
前記表示パネルに接続されるフレキシブル基板と、
前記表示パネルを保持するパネル保持体と、
前記パネル保持体を載置するフレームと、を備え、
前記フレキシブル基板は、前記フレームの端部の側面で前記パネル保持体及び前記フレームと接触する接触部分を有し、
前記フレームは、前記端部が前記パネル保持体側へ折り返されて成形されるときにヘミング加工により多段に曲げられている電気光学装置。
【請求項３】
表示パネルと、
前記表示パネルに接続される第１のフレキシブル基板と、
前記表示パネルに接続される第２のフレキシブル基板と、
前記表示パネルを保持するパネル保持体と、
前記パネル保持体を載置する第１のフレーム部及び第２のフレーム部と、を備え、
前記第１のフレキシブル基板は、前記第１のフレーム部の端部で前記表示パネルの表示面側に曲折し、
前記第２のフレキシブル基板は、前記第２のフレーム部の端部で前記表示パネルの表示面と反対側に曲折し、
前記第１のフレーム部の端部と前記第２のフレーム部の端部とが、それぞれ前記パネル保持体側へ折り返されて成形されるときにヘミング加工により多段に曲げられている電気光学装置。
【請求項４】
表示パネルと、
前記表示パネルに接続されるフレキシブル基板と、
前記表示パネルを保持するパネル保持体と、
前記パネル保持体を載置するフレームと、を備え、
前記フレキシブル基板は、前記フレームの端部で前記パネル保持体及び前記フレームの少なくとも１辺を覆うように折れ曲がった曲折部分を有し、
前記パネル保持体は、当該パネル保持体の端部に凸部を有し、
前記フレームは、当該フレームの端部が前記パネル保持体側へ折り返されて成形されるときに前記フレームと一定の空間を保つように対向して曲げられて成形され、前記凸部を覆うように前記パネル保持体に嵌め込まれている電気光学装置。
【請求項５】
表示パネルと、
前記表示パネルに接続されるフレキシブル基板と、
前記表示パネルを保持するパネル保持体と、
前記パネル保持体を載置するフレームと、を備え、
前記フレキシブル基板は、前記フレームの端部の側面で前記パネル保持体及び前記フレームと接触する接触部分を有し、
前記パネル保持体は、当該パネル保持体の端部に凸部を有し、
前記フレームは、当該フレームの端部が前記パネル保持体側へ折り返されて成形されるときに前記フレームと一定の空間を保つように対向して曲げられて成形され、前記凸部を覆うように前記パネル保持体に嵌め込まれている電気光学装置。
【請求項６】
表示パネルと、
前記表示パネルに接続される第１のフレキシブル基板と、
前記表示パネルに接続される第２のフレキシブル基板と、
前記表示パネルを保持するパネル保持体と、
前記パネル保持体を載置する第１のフレーム部及び第２のフレーム部と、を備え、
前記第１のフレキシブル基板は、前記第１のフレーム部の端部で前記表示パネルの表示面側に曲折し、
前記第２のフレキシブル基板は、前記第２のフレーム部の端部で前記表示パネルの表示面と反対側に曲折し、
前記パネル保持体は、当該パネル保持体の端部に凸部を有し、
前記第１のフレーム部の端部と前記第２のフレーム部の端部とが、それぞれ前記パネル保持体側へ折り返されて成形されるときに前記第１及び第２のフレームと一定の空間を保つように対向して曲げられて成形され、前記凸部を覆うように前記パネル保持体に嵌め込まれている電気光学装置。
【請求項７】
前記パネル保持体の端部は、前記フレームの端部より外側に突出した状態である請求項１乃至６のいずれか一項に記載の電気光学装置。
【請求項８】
請求項１乃至７のいずれか一項に記載の電気光学装置を備える電子機器。
【発明の詳細な説明】
【技術分野】
【０００１】
本発明は、各種情報の表示に用いて好適な電気光学装置に関する。
【背景技術】
【０００２】
一般的には、電気光学装置の一つである液晶表示装置は、主に、表示パネルとして機能し、液晶を２枚の基板で挟持してなる液晶表示パネルと、ＬＥＤ（Light Emitting Diode）などの光源を端面に有する導光板より構成される照明装置と、を備える。
【０００３】
このような液晶表示装置では、照明装置が枠状のパネル保持体に収められており、液晶表示パネルが当該パネル保持体に枠状の両面テープで接着されている。ここで、液晶パネルを駆動するドライバＩＣは、当該液晶パネルの基板上に設置され、フレキシブル基板（ＦＰＣ：Flexible Printed Circuit）を介して外部の電子機器と接続されている。当該パネル保持体と当該ＦＰＣは、箱状の金属製のフレームに収納される。
【０００４】
そして、液晶表示装置を適用する電子機器の設計上、上記ＦＰＣは、照明装置側に鋭角に折り返す場合がある。上記の場合、照明装置側のフレームの端部とＦＰＣとが接触し、ＦＰＣの断線や破損が発生する可能性がある。
【０００５】
なお、下記の特許文献１には、液晶表示装置の側板部の端部を折り返すことで、バックライトユニットの光源を交換する際に、ＦＰＣの破損を防ぐ方法が開示されている。
【０００６】
【特許文献１】特開平１１−９５２１４号公報
【発明の開示】
【発明が解決しようとする課題】
【０００７】
本発明は上記の点に鑑みてなされたものであり、ＦＰＣを外枠のフレームで鋭角に折り曲げて使用する場合であっても、ＦＰＣの断線や破損を防止することが可能な電気光学装置を提供することを課題とする。
【課題を解決するための手段】
【０００８】
本発明の１つの観点では、電気光学装置は、表示パネルと、前記表示パネルに接続されるフレキシブル基板と、前記表示パネルを保持するパネル保持体と、前記パネル保持体を載置するフレームと、を備え、前記フレキシブル基板は、前記フレームの端部で前記パネル保持体及び前記フレームの少なくとも１辺を覆うように折れ曲がった曲折部分を有し、前記フレームは、前記端部が前記パネル保持体側へ折り返されて成形されるときにヘミング加工により多段に曲げられている。
【０００９】
上記の電気光学装置は、表示パネルと、フレキシブル基板と、パネル保持体と、フレームと、を備える。前記フレキシブル基板は、前記フレームの端部で前記パネル保持体及び前記フレームの少なくとも１辺を覆うように曲げられる。前記フレームは、前記端部が前記パネル保持体側へ折り返されて成形されるときにヘミング加工により多段に曲げられる。これにより、前記フレームは、前記フレキシブル基板と接触する端部が丸みを帯びた形状になるので、前記接触による前記フレキシブル基板の破損や断線の発生を防ぐことができる。
【００１１】
上記の電気光学装置の一態様では、前記パネル保持体の端部は、前記フレームの端部より外側に突出した状態である。これにより、表示パネル上に電気光学装置のカバー、筐体、またはタッチパネル等の部材を重ねた場合でも端部より突出したパネル保持体により電気光学パネルに加わる応力の集中を緩和しパネル保持体に応力を逃がし表示パネルの割れ、欠け、異常表示等を防止することができる。また、フレームの端部でＦＰＣが鋭角に曲がることがなくなり、折り曲げの応力集中によりＦＰＣの損傷や断線を防止することができる。
【００１３】
上記の電気光学装置の他の一態様では、前記パネル保持体は、当該パネル保持体の端部に凸部を有し、前記フレームは、当該フレームの端部が前記パネル保持体側へ折り返されて成形されるときに前記フレームと一定の空間を保つように対向して曲げられており、前記凸部を覆うように前記パネル保持体に嵌め込まれている。この態様では、前記パネル保持体に前記フレームを嵌め込んで固定することが可能となり、電気光学装置の強度をより高めることができる。
【００１４】
本発明の他の観点では、電気光学装置は、表示パネルと、前記表示パネルに接続されるフレキシブル基板と、前記表示パネルを保持するパネル保持体と、前記パネル保持体を載置するフレームと、を備え、前記フレキシブル基板は、前記フレームの端部の側面で前記パネル保持体及び前記フレームと接触する接触部分を有し、前記フレームは、前記端部が前記パネル保持体側へ折り返されて成形されるときにヘミング加工により多段に曲げられている。
【００１５】
上記の電気光学装置は、表示パネルと、フレキシブル基板と、パネル保持体と、フレームと、を備える。前記フレキシブル基板は、前記フレームの端部の側面で前記パネル保持体及び前記フレームと接触する。前記フレームは、前記端部が、パネル保持体側へ折り返される。これにより、前記フレームは、前記フレキシブル基板と接触する端部が丸みを帯びた形状になるので、上記端部が浮きあがった場合でも、前記接触による前記フレキシブル基板の破損や断線の発生を防ぐことができる。
【００１６】
本発明の更に別の観点では、電気光学装置は、表示パネルと、前記表示パネルに接続される第１のフレキシブル基板と、前記表示パネルに接続される第２のフレキシブル基板と、前記表示パネルを保持するパネル保持体と、前記パネル保持体を載置する第１のフレーム部及び第２のフレーム部と、を備え、前記第１のフレキシブル基板は、前記第１のフレーム部の端部で前記表示パネルの表示面側に曲折し、前記第２のフレキシブル基板は、前記第２のフレーム部の端部で前記表示パネルの表示面と反対側に曲折し、前記第１のフレーム部の端部と前記第２のフレーム部の端部とが、それぞれ前記パネル保持体側へ折り返されて成形されるときにヘミング加工により多段に曲げられている。
【００１７】
上記の電気光学装置は、表示パネルと、第１のフレキシブル基板と、第２のフレキシブル基板と、パネル保持体と、フレームと、を備える。前記第１のフレキシブル基板は、前記第１のフレーム部の端部で曲げられる。前記第２のフレキシブル基板は、前記第２のフレーム部の端部で曲げられる。前記第１のフレーム部及び前記第２のフレーム部は、端部が、パネル保持体側へ折り返される。これにより、前記第１のフレーム部及び前記第２のフレーム部は、前記第１のフレキシブル基板及び第２のフレキシブル基板と接触する端部が丸みを帯びた形状になるので、前記接触による前記フレキシブル基板の破損や断線の発生を防ぐことができる。
【００１８】
本発明の更に別の観点では、上記の電気光学装置を表示部として備える電子機器を構成することができる。
【発明を実施するための最良の形態】
【００１９】
以下、図面を参照しながら本発明の実施形態について説明する。以下の実施形態は、本発明を電気光学装置の一例としての液晶表示装置に適用したものである。
【００２０】
[液晶表示装置の構成]
図１は、本実施形態に係る液晶表示装置１００の平面図であり、図２は、図１に示した液晶表示装置１００の切断面Ａ−Ａ´における断面図を示す。
【００２１】
図２に示すように、液晶表示装置１００は、主に、照明装置９と、液晶パネル２０より構成される。液晶パネル２０は、導光板１１の下面に対向して配置される。
【００２２】
照明装置９は、導光板１１と、反射シート１４と、光源部１５と、により構成される。反射シート１４は、導光板１１の上面に配置される。光源部１５は、導光板１１の端面に配置され、点光源である複数のＬＥＤ１６を備える。各ＬＥＤ１６から出射された光Ｌは、導光板１１内へ入り、導光板１１の上下面で反射を繰り返すことにより方向を変え、下面より外部へ出射する。出射した光Ｌは、液晶パネル２０へ向けて進む。
【００２３】
液晶パネル２０は、導光板１１の発光面積とほぼ同一の表示面積を有する。液晶表示パネル２０は、ガラスなどの基板１及び２を、シール材３を介して貼り合わせてセル構造を形成し、その内部に液晶４を封入して構成される。液晶パネル２０は、基板１、２の夫々の外面上に偏光板５を備える。
【００２４】
照明装置９と液晶パネル２０との間には、光学シートとして、例えば、拡散シート１２、プリズムシート１３が設けられる。拡散シート１２は、導光板１１より出射された光Ｌを全方位に拡散する役割を有する。プリズムシート１３は、光Ｌを液晶パネル２０に集光する役割を有し、断面が略三角形のプリズム形状を一辺の方向（当該断面と垂直な辺の方向）に延在させた形状を有する。導光板１１から出射した光Ｌは、これらの光学シートを通過した後、液晶パネル２０を透過することにより照明する。
【００２５】
液晶パネル２０には、ＣＯＧ（Chip On Glass）技術により、液晶駆動用ＩＣ（ドライバ）たるドライバＩＣ４０が直接実装されている。液晶パネル２０の端部には、ＦＰＣ（Flexible Printed Circuit）５１が接続されており、ドライバＩＣ４０の一部の端子は液晶パネル２０の表面上に形成された配線を通じて、ＦＰＣ５１に接続されている。ＦＰＣ５１の他端には、コネクタ５１ａが設けられている。外部の電子機器はコネクタ５１ａに電気的に接続される。ドライバＩＣ４０は、ＦＰＣ５１を介して供給された外部の電子機器からの制御信号を基に、液晶パネル２０の駆動回路を駆動する。これにより、液晶４の配向状態は制御されることとなる。
【００２６】
照明装置９、即ち、導光板１１と反射シート１４と光源部１５は、樹脂などで形成された枠状のパネル保持体６１の開口部に嵌め込まれている。更に、パネル保持体６１には、拡散シート１２、プリズムシート１３といった光学シートが、導光板１１の下面の表面上に配置されている。液晶パネル２０は、例えば、遮光性を有する枠状の両面テープ２１によって、パネル保持体６１の開口部を覆うようにパネル保持体６１に接着されて取り付けられている。
【００２７】
照明装置９が嵌め込まれ、液晶パネル２０が取り付けられたパネル保持体６１は、板金などで形成されたフレーム６２に収納される。
（フレームの形状）
次に、フレーム６２の形状について詳しく述べる。液晶表示パネル２０上に実装されたＦＰＣ５１は、液晶表示装置１００を電子製品に適用する場合、一端が矢印９０の方向に折り曲げられた形態で使用される。
【００２８】
しかしながら、例えば図３に示す液晶表示装置１００ａの形態では、破線枠内に位置するフレーム６２の端部６２ａが、角張った形状を有するため、ＦＰＣ５１は、端部６２ａとの接触により、ＦＰＣ５１は、部分５１ｂにおいて、断線や破損が発生する可能性がある。
【００２９】
そこで、本実施形態に係る液晶表示装置１００では、図４に示すように、フレーム６２は、破線枠内に位置する端部６２ａがパネル保持体６１側に折り返されて成形されている。端部６２ａは、例えば、ヘミング加工により成形される。これにより、端部６２ａは、ＦＰＣ５１と接する部分で丸みを帯びた形状となり、ＦＰＣ５１は、端部６２ａとの接触による断線や破損が発生するのを防ぐことができる。なお、端部６２ａの形状により、パネル保持体６１の角部分６１ａとＦＰＣ５１とが接触する場合がある。このような場合においては、パネル保持体６１の角部分６１ａを図４のように丸みを帯びた形状にするのが好ましい。このようにすることで、ＦＰＣ５１とパネル保持体６１の角部分６１ａとの接触によるＦＰＣ５１の断線や破損も防ぐことができる。
【００３０】
また、パネル保持体６１の端部がフレーム６２の端部６２ａから突出した状態で配置され、フレーム６２の端部６２ａが折り返されてパネル保持体６１内部に埋め込まれている。これにより、突出したパネル保持体６１に沿ってＦＰＣ５１が折り曲げられるので、フレーム６２の端部６２ａでＦＰＣ５１が鋭角に曲がることがなくなり、折り曲げの応力集中によりＦＰＣ５１の損傷や断線を防止することができる。
【００３１】
図５は他の実施形態に係る液晶表示装置１００ｂの断面図である。端部６２ａを、図５に示す液晶表示装置１００ｂのように多段に折り返した形状とすることもできる。上記形状により、フレーム６２の端部６２ａは、ＦＰＣ５１と接触する部分において、丸みを帯びた形状となるため、ＦＰＣ５１とフレーム６２との接触によるＦＰＣ５１の断線や破損を防ぐことができる。また、このように多段に折り返した形状とすることにより、液晶表示装置１００ｃへの衝撃等に対する強度を高めることができる。
【００３２】
図６は、さらに他の実施形態に係る液晶表示装置１００ｃの断面図である。図６の液晶表示装置１００ｃに示すように、フレーム６２は、フレーム６２と一定の空間８１を保つように対向して端部が曲げられていてもよい。この場合、空間８１に合わせ、パネル保持体６１が成形されるのが好ましい。即ち、パネル保持体６１の端部に凸部６１ｘを形成するとともに、フレーム６２の端部を、凸部６１ｘを覆うように折り曲げる。言い換えると、パネル保持体６１に溝６１ｙを設け、溝６１ｙにフレーム６２の先端を嵌め込む。このようにすることで、パネル保持体６１にフレーム６２を嵌め込むことができ、パネル保持体６１とフレーム６２とが固定され、液晶表示装置１００ｃの強度を高めることができる。
【００３３】
図７は、さらに他の実施形態に係る液晶表示装置１００ｄの断面図である。この実施例では、図７の液晶表示装置１００ｄに示すように、２つのＦＰＣ５１ｃ、５１ｄがそれぞれ液晶表示パネル２０上に実装される。また、液晶表示パネル２０の表示面側に第１のフレーム部６２ｘ、液晶表示パネル２０の表示面と反対側に第２のフレーム部６２ｙが配置されている。第２のフレーム部６２ｙには液晶表示パネル２０が隠れないための開口６２ｚが設けられている。なお、第１のフレーム部６２ｘと第２のフレーム部６２ｙとは、１つのフレームにより形成されていてもよい。即ち、１つの繋がったフレームであってもよい。また、第１のフレーム部６２ｘと第２のフレーム部６２ｙとは、物理的に分離された２つのフレーム、即ち、別体のフレームであってもよい。
【００３４】
ＦＰＣ５１ｃは液晶表示パネル２０の表示面と反対側に折り返されている。ＦＰＣ５１ｄは液晶表示パネル２０の表示面側に折り返されている。ＦＰＣ５１ｃと接する第１のフレーム部６２ｘの端部６２ｘａ及びＦＰＣ５１ｄと接する第２のフレーム部６２ｙの端部６２ｙａは、それぞれパネル保持体６１側へ折り返し成形されている。このようにすることで、液晶表示パネル２０上に２つのＦＰＣが実装され、上記のように折り返されている場合でも、フレーム６０の端部６２ｘａ、６２ｙｂは、ＦＰＣ５１ｃ、５１ｄと接する部分で丸みを帯びた形状となり、第１のフレーム部６２ｘとの接触によるＦＰＣ５１ｃの断線や破損及び第２のフレーム部６２ｙとの接触によるＦＰＣ５１ｄの断線や破損を防ぐことができる。
【００３５】
[変形例]
次に、本発明の変形例について述べる。上記の実施形態に係る液晶表示装置１００及び１００ｂ乃至１００ｄは、ＦＰＣ５１の曲折部分での断線や破損を防ぐために、フレーム６２の端部をパネル保持体６１へ折り返している。しかしながら、本発明を適用することが可能な液晶表示装置としては、このようなものに限られない。図８の液晶表示装置１００ｅでは、フレーム６２がＬ字型に成形されている。ＦＰＣ５１は、フレーム６２の曲折部分６２ｄの側面と接触している。しかし、上記Ｌ字型のフレームの曲折部分６２ｄには、応力９１が働き、完全なＬ字型、つまり直角にはならず、フレームの曲折部分６２ｄが浮いてしまう場合がある。そのような場合には、フレームの曲折部分６２ｄは、ＦＰＣ５１と接触する部分で角張った形状を有するため、フレームの曲折部分６２ｄの接触により、ＦＰＣ５１は、断線や破損が発生する可能性がある。
【００３６】
そこで、本発明の変形例では、図９の液晶表示装置１００ｆの断面図に示すように、６２ｄのフレーム部分をパネル保持体６１へ折り返している。このようにすることで、フレームの曲折部分６２ｄが応力９１により浮き上がった場合でも、６２ｄのフレーム部分との接触によるＦＰＣ５１の断線や破線を防ぐことができる。フレーム６１の折り返しは、例えばヘミング加工により成形される。
【００３７】
なお、フレーム６１の折り返しは、液晶表示装置１００ｂと同様、ヘミング加工により多段になされていてもよい。これにより、液晶表示装置１００ｆの衝撃等に対する強度を高めることができる。
【００３８】
また、フレーム６１は、液晶表示装置１００ｃと同様、フレーム６２の端部が、フレーム６２と一定の空間８１を保つように対向して端部が曲げられていてもよい。この場合、上記空間８１に合わせ、パネル保持体６１の端部に凸部が成形されるのが好ましい。このようにすることで、パネル保持体６１にフレーム６２を嵌め込むことができ、パネル保持体６１とフレーム６２とが固定され、液晶表示装置１００ｆの強度を高めることができる。
【００３９】
[電子機器]
次に、上述の実施形態に係る液晶表示装置１００、１００ｂ乃至１００ｄまたは１００ｆを適用可能な電子機器の具体例について図１０を参照して説明する。
【００４０】
まず、上述の核実施形態に係る液晶表示装置１００を、可搬型のパーソナルコンピュータ（いわゆるノート型パソコン）の表示部に適用した例について説明する。図１０（ａ）は、このパーソナルコンピュータの構成を示す斜視図である。同図に示すように、パーソナルコンピュータ７１０は、キーボード７１１を備えた本体部７１２と、本発明に係る液晶表示装置１００を適用した表示部７１３とを備えている。
【００４１】
続いて、上述の実施形態に係る液晶表示装置１００、１００ｂ乃至１００ｄまたは１００ｆを、携帯電話機の表示部に適用した例について説明する。図１０（ｂ）は、この携帯電話機の構成を示す斜視図である。同図に示すように、携帯電話機７２０は、複数の操作ボタン７２１のほか、受話口７２２、送話口７２３とともに、表示部７２４を備える。
【００４２】
なお、本発明に係る液晶表示装置１００、１００ｂ乃至１００ｄまたは１００ｆを適用可能な電子機器としては、図１０に示したパーソナルコンピュータや携帯電話機の他にも、液晶テレビ、ビューファインダ型・モニタ直下型のビデオテープレコーダ、カーナビゲーション装置、ページャ、電子手帳、電卓、ワードプロセッサ、ワークステーション、テレビ電話、ＰＯＳ端末、ディジタルスチルカメラなどが挙げられる。
【図面の簡単な説明】
【００４３】
【図１】本発明の実施形態に係る液晶表示装置の平面図。
【図２】フレキシブル基板を曲げる前の本実施形態に係る液晶表示装置の断面図。
【図３】従来の実施形態に係る液晶表示装置の断面図。
【図４】フレキシブル基板を曲げた状態での本実施形態に係る液晶表示装置の断面図。
【図５】フレームを多段に折り曲げて成形した場合の本実施形態に係る液晶表示装置の断面図。
【図６】一定の空間を空けてフレームを折り返した場合の本実施形態に係る液晶表示装置の断面図。
【図７】２つのフレキシブル基板が存在した場合の本実施形態に係る液晶表示装置の断面図。
【図８】従来の実施形態に係る液晶表示装置の断面図。
【図９】変形例に係る液晶表示装置の断面図。
【図１０】本実施形態の液晶表示装置を適用した電子機器の例を示す図。
【符号の説明】
【００４４】
９  照明装置、  １１  導光板、  １５  光源部、  １６  ＬＥＤ、  ２０  液晶表示パネル、  ４０  ドライバＩＣ、  ５１  ＦＰＣ、  ６１  パネル保持体、  ６２  フレーム、  １００、１００ａ〜１００ｆ  液晶表示装置
【図１】
0005159485.tif 000002
【図２】
0005159485.tif 000003
【図３】
0005159485.tif 000004
【図４】
0005159485.tif 000005
【図５】
0005159485.tif 000006
【図６】
0005159485.tif 000007
【図７】
0005159485.tif 000008
【図８】
0005159485.tif 000009
【図９】
0005159485.tif 000010
【図１０】
0005159485.tif 000011